(57)【要約】  【課題】  吹出口内部への塵埃や油煙等の侵入を防止するとともに、美観を向上できる空気調和機を提供する。  【解決手段】  空気調和機は吹出口５の上部に回動可能に設けられた第１風向板１１３ａと吹出口５の下部に回動可能に設けられた第２風向板１１３ｂを備える。空気調和機の運転が停止されると、第１風向板１１３ａが吹出口５の上部を遮蔽する上部遮蔽位置に配置される。第２風向板１１３ｂは第１風向板１１３ａに当接し、吹出口５の下部を遮蔽する下部遮蔽位置に位置決めされる。これにより、第１、第２風向板１１３ａ、１１３ｂ間の隙間なく吹出口５が閉塞される。【選択図】      図１
2005164067.tif 000002
【特許請求の範囲】
【請求項１】
室内の空気を取り入れる吸込口と、前記吸込口から取り入れて調和された調和空気を室内に送出する吹出口と、調和空気を前記吹出口に導く送風経路と、前記吹出口の上下にそれぞれ回動可能に配置して調和空気の風向を可変する第１、第２風向板とを備え、室内の壁面に取り付けられる空気調和機において、第１、第２風向板の一方が前記吹出口を遮蔽する位置に配置されるとともに、該一方に回動する他方が当接して前記吹出口を遮蔽する位置に位置決めされることによって前記吹出口を閉塞することを特徴とする空気調和機。
【請求項２】
前記吹出口の上部を遮蔽する上部遮蔽位置に第１風向板を配置し、前記吹出口の下部を遮蔽する下部遮蔽位置に第２風向板を配置して前記吹出口を閉塞するとともに、第２風向板は上部遮蔽位置に配された第１風向板に当接して下部遮蔽位置に位置決めされることを特徴とする請求項１に記載の空気調和機。
【請求項３】
第１風向板は前記送風経路の上壁に当接して上部遮蔽位置に位置決めされることを特徴とする請求項２に記載の空気調和機。
【請求項４】
第１風向板の一端から所定距離離れた位置に突起部を設け、前記突起部に当接して第２風向板が下部遮蔽位置で位置決めされることを特徴とする請求項２または請求項３に記載の空気調和機。
【請求項５】
前記突起部は第１風向板の長手方向に所定間隔離れて複数設けられることを特徴とする請求項４に記載の空気調和機。
【請求項６】
第１風向板が前記吹出口の上部を開放した際に、第２風向板が下部遮蔽位置から両方向に回動して前記吹出口の下部を開放できることを特徴とする請求項２〜請求項５のいずれかに記載の空気調和機。
【請求項７】
第２風向板は前記吹出口を開放する位置から一方向に回動して下部遮蔽位置を超えた後、第１風向板が上部遮蔽位置に配置され、第２風向板が逆方向に回動して下部遮蔽位置に配置されることを特徴とする請求項２〜請求項６のいずれかに記載の空気調和機。
【請求項８】
前記吹出口の上部を遮蔽する上部遮蔽位置に第１風向板を配置し、前記吹出口の下部を遮蔽する下部遮蔽位置に第２風向板を配置して前記吹出口を閉塞するとともに、第１風向板は下部遮蔽位置に配された第２風向板に当接して上部遮蔽位置に位置決めされることを特徴とする請求項１に記載の空気調和機。
【請求項９】
第１風向板は前記吹出口を開放する位置から一方向に回動して上部遮蔽位置を超えた後、第２風向板が下部遮蔽位置に配置され、第１風向板が逆方向に回動して上部遮蔽位置に配置されることを特徴とする請求項８に記載の空気調和機。
【請求項１０】
前記吹出口上方に配されて筐体の前面を覆う前面パネルを備え、上部遮蔽位置で第１風向板が前記前面パネルに沿って配置されることを特徴とする請求項１〜請求項９のいずれかに記載の空気調和機。
【請求項１１】
第１、第２風向板をそれぞれ独立して駆動する複数の駆動モータを備えたことを特徴とする請求項１〜請求項１０のいずれかに記載の空気調和機。
【請求項１２】
前端が後端よりも上方になるように第１風向板を配置するとともに略水平または前端が後端よりも下方になるように第２風向板を配置して冷房運転または除湿運転を行うことをを特徴とする請求項１〜請求項１１のいずれかに記載の空気調和機。
【請求項１３】
前記送風経路の上壁が前記吹出口近傍で前方へ行くほど上方になるように傾斜して成ることを特徴とする請求項１２に記載の空気調和機。
【請求項１４】
前記吹出口の上部を流通する調和空気を下方に導く位置に第１風向板を配置するとともに下端を上端の真下または上端よりも後方になるように第２風向板を配置して暖房運転を行うことを特徴とする請求項１〜請求項１３のいずれかに記載の空気調和機。
【発明の詳細な説明】
【技術分野】
【０００１】
本発明は、筐体内に取り込まれた空気を調和して室内に送出する空気調和機に関する。
【背景技術】
【０００２】
図３６は、特許文献１に開示された従来の空気調和機の室内機を示す側面断面図である。空気調和機の室内機１は通常、使用者の身長よりも高い位置に配置されており、キャビネット２により本体部が保持されている。キャビネット２は後方側面に爪部（不図示）が設けられ、室内の側壁Ｗ１に取り付けられた取付板（不図示）に該爪部を係合することにより支持される。
【０００３】
キャビネット２には上面側と前面側に吸込口４が設けられたフロントパネル３が着脱自在に取り付けられている。フロントパネル３の下端部とキャビネット２の下端部との間隙には、室内機１の幅方向に延びる略矩形の吹出口５が形成されている。
【０００４】
室内機１の内部には、吸込口４から吹出口５に連通する送風経路６が形成されている。送風経路６内には空気を送出する送風ファン７が配されている。フロントパネル３に対向する位置には、吸込口４から吸い込まれた空気に含まれる塵埃を捕集・除去するエアフィルタ８が設けられている。送風経路６中の送風ファン７とエアフィルタ８との間には、室内熱交換器９が配置されている。
【０００５】
室内熱交換器９は屋外に配される圧縮機（不図示）に接続されており、圧縮機の駆動により冷凍サイクルが運転される。冷凍サイクルの運転によって冷房時には室内熱交換器９が周囲温度よりも低温に冷却される。また、暖房時には、室内熱交換器９が周囲温度よりも高温に加熱される。
【０００６】
室内熱交換器９とエアフィルタ８との間にはキャビネット２内に取り込まれた空気の温度を検知する温度センサ６１が設けられている。温度センサ６１は吸込口４から吸引された空気の温度を検知し、使用者により設定された目標の室温（以下、「設定温度」という）との差に応じて冷凍サイクルの運転周波数および送風ファン７の送風量が制御されるようになっている。
【０００７】
室内熱交換機９の前後の下部には冷房または除湿時に室内熱交換器９から落下した結露を補集するドレンパン１０が設けられている。前方のドレンパン１０はフロントパネル３に取り付けられ、後方のドレンパン１０はキャビネット２と一体に成形されている。
【０００８】
送風経路６内の吹出口５の近傍には、外部に臨んで上下方向の吹出角度を略水平方向と後方下方との間の任意方向に変更可能な横ルーバ１１ａ、１１ｂが設けられている。空気調和機の運転停止時には横ルーバ１１ａ、１１ｂはそれぞれ吹出口５の上部及び下部を遮蔽する。
【０００９】
これにより、室内機１の内部を視認できないように覆うとともに塵埃の侵入を防止するようになっている。この時、横ルーバ１１ａを前面パネル３に沿って配置して美観が保持されている。また、横ルーバ１１ａ、１１ｂの奥側には左右方向の吹出角度を変更可能な縦ルーバ１２が設けられている。
【００１０】
上記構成の空気調和機において、空気調和機の暖房を開始すると、送風ファン７が回転駆動され、室外機（不図示）からの冷媒が室内熱交換器９へ流れて冷凍サイクルが運転される。これにより、室内機１内には吸込口４から空気が吸い込まれ、エアフィルタ８によって空気中に含まれる塵埃が除去される。
【００１１】
室内機１内に取り込まれた空気は室内熱交換器９と熱交換して加熱される。そして、送風経路６を通って縦ルーバ１２及び横ルーバ１１ａ、１１ｂによって左右方向及び上下方向の向きが規制され、吹出口５から前方下方に向けて調和空気が室内に送出される。
【特許文献１】特許第３３１１９３２号（第４頁−第５頁、第１４図）
【発明の開示】
【発明が解決しようとする課題】
【００１２】
しかしながら、上記従来の空気調和機によると、空気調和機の運転停止時に横ルーバ１１ａ、１１ｂの間に大きな隙間が生じる。該隙間から塵埃や油煙等が吹出口５内部に侵入し、送風経路６や送風ファン７等を汚す問題があった。更に、空気調和機の室内機１を下方から見た場合の美観を損なう問題もあった。
【００１３】
本発明は、吹出口から内部への塵埃や油煙等の侵入を防止するとともに、美観を向上できる空気調和機を提供することを目的とする。
【課題を解決するための手段】
【００１４】
上記目的を達成するために本発明は、室内の空気を取り入れる吸込口と、前記吸込口から取り入れて調和された調和空気を室内に送出する吹出口と、調和空気を前記吹出口に導く送風経路と、前記吹出口の上下にそれぞれ回動可能に配置して調和空気の風向を可変する第１、第２風向板とを備え、室内の壁面に取り付けられる空気調和機において、第１、第２風向板の一方が前記吹出口を遮蔽する位置に配置されるとともに、該一方に回動する他方が当接して前記吹出口を遮蔽する位置に位置決めされることによって前記吹出口を閉塞することを特徴としている。
【００１５】
この構成によると、空気調和機は室内の壁面に取り付けられ、送風手段によって吸込口から取り入れられた空気が冷却または昇温して調和される。送風経路の上部及び下部を流通する調和空気はそれぞれ第１、第２風向板により風向を可変して吹出口から送出される。空気調和機の運転停止時等には第１、第２風向板の一方が回動して吹出口の一部を遮蔽する位置に配され、他方が回動により該一方に当接して吹出口の一部を遮蔽する位置に配置される。これにより、吹出口が閉塞される。
【００１６】
また本発明は、上記構成の空気調和機において、前記吹出口の上部を遮蔽する上部遮蔽位置に第１風向板を配置し、前記吹出口の下部を遮蔽する下部遮蔽位置に第２風向板を配置して前記吹出口を閉塞するとともに、第２風向板は上部遮蔽位置に配された第１風向板に当接して下部遮蔽位置に位置決めされることを特徴としている。この構成によると、空気調和機の運転停止時等には第１風向板が回動して上部遮蔽位置に配され、第２風向板が回動により第１風向板に当接して下部遮蔽位置に配置される。これにより、吹出口が閉塞される。
【００１７】
また本発明は、上記構成の空気調和機において、第１風向板は前記送風経路の上壁に当接して上部遮蔽位置に位置決めされることを特徴としている。
【００１８】
また本発明は、上記構成の空気調和機において、第１風向板の一端から所定距離離れた位置に突起部を設け、前記突起部に当接して第２風向板が下部遮蔽位置で位置決めされることを特徴としている。この構成によると、吹出口を閉塞する際に、第１風向板が回動して上部遮蔽位置に配され、第２風向板が回動により第１風向板の突起部に当接して下部遮蔽位置に配置される。突起部は第１風向板の長手方向に所定間隔離れて複数設けてもよい。
【００１９】
また本発明は、上記構成の空気調和機において、第１風向板が前記吹出口の上部を開放した際に、第２風向板が下部遮蔽位置から両方向に回動して前記吹出口の下部を開放できることを特徴としている。この構成によると、空気調和機の運転を開始すると第１、第２風向板が回動して吹出口が開放される。
【００２０】
また本発明は、上記構成の空気調和機において、第２風向板は前記吹出口を開放する位置から一方向に回動して下部遮蔽位置を超えた後、逆方向に回動して下部遮蔽位置に配置されることを特徴としている。この構成によると、吹出口を閉塞する際に、吹出口下部を開放する位置に配された第２風向板は吹出口下部を遮蔽する方向に回動し、下部遮蔽位置を通過する。そして、第１風向板が上部遮蔽位置に配置され、第２風向板が逆方向に回動して第１風向板に当接し、下部遮蔽位置に位置決めされる。
【００２１】
また本発明は、上記構成の空気調和機において、前記吹出口の上部を遮蔽する上部遮蔽位置に第１風向板を配置し、前記吹出口の下部を遮蔽する下部遮蔽位置に第２風向板を配置して前記吹出口を閉塞するとともに、第１風向板は下部遮蔽位置に配された第２風向板に当接して上部遮蔽位置に位置決めされることを特徴としている。この構成によると、空気調和機の運転停止時等には第２風向板が回動して下部遮蔽位置に配され、第１風向板が回動により第２風向板に当接して上部遮蔽位置に配置される。これにより、吹出口が閉塞される。
【００２２】
また本発明は、上記構成の空気調和機において、第１風向板は前記吹出口を開放する位置から一方向に回動して上部遮蔽位置を超えた後、第２風向板が下部遮蔽位置に配置され、第１風向板が逆方向に回動して上部遮蔽位置に配置されることを特徴としている。この構成によると、吹出口を閉塞する際に、吹出口下部を開放する位置に配された第１風向板は吹出口上部を遮蔽する方向に回動し、上部遮蔽位置を通過する。そして、第２風向板が下部遮蔽位置に配置され、第１風向板が逆方向に回動して第２風向板に当接し、上部遮蔽位置に位置決めされる。
【００２３】
また、本発明は上記構成の空気調和機において、前記吹出口上方に配されて筐体の前面を覆う前面パネルを備え、上部遮蔽位置で第１風向板が前記前面パネルに沿って配置されることを特徴としている。
【００２４】
また、本発明は上記構成の空気調和機において、第１、第２風向板をそれぞれ独立して駆動する複数の駆動モータを備えたことを特徴としている。この構成によると、第１風向板は一の駆動モータにより駆動され、第２風向板は他の駆動モータにより駆動される。
【００２５】
また、風向可変部は送風経路の可動の内壁により形成できる。風向可変部により送風経路を延長してもよい。風向可変部は吹出口に配されて回動により向きを変える複数の風向板により形成してもよい。
【００２６】
また、本発明は上記構成の空気調和機において、前端が後端よりも上方になるように第１風向板を配置するとともに略水平または前端が後端よりも下方になるように第２風向板を配置して冷房運転または除湿運転を行うことを特徴としている。この構成によると、冷房運転または除湿運転時に送風経路を流通する調和空気は第１、第２風向板に沿って前方上方に送出される。室内に送出された調和空気はコアンダ効果により天井に沿って流通し、空気調和機に対向する壁面に沿って降下する。送風経路の上壁が前記吹出口近傍で前方へ行くほど上方になるように傾斜させるとより望ましい。
【００２７】
また、本発明は上記構成の空気調和機において、前記吹出口の上部を流通する調和空気を下方に導く位置に第１風向板を配置するとともに下端を上端の真下または上端よりも後方になるように第２風向板を配置して暖房運転を行うことを特徴としている。この構成によると、暖房運転時に送風経路を流通する調和空気は第１、第２風向板に沿って略真下方向または後方下方に送出される。室内に送出された調和空気はコアンダ効果によって壁面に沿って降下し、床面に沿って流通する。
【発明の効果】
【００２８】
本発明によると、第１、第２風向板の一方が吹出口を遮蔽する位置に配され、該一方に他方が回動して当接し、吹出口を遮蔽する位置に位置決めされるので、第１、第２風向板間の隙間をなくすことができる。従って、吹出口から空気調和機の内部に塵埃や油煙等が侵入することを防止できるとともに空気調和機の美観を向上することができる。
【００２９】
また、本発明によると、第２風向板が上部遮蔽位置の第１風向板に当接して下部遮蔽位置に位置決めされるので、容易に第１、第２風向板間の隙間をなくすことができる。
【００３０】
また、第１風向板は送風経路の上壁に当接して上部遮蔽位置に位置決めされるので、送風経路と第１風向板との隙間をなくして塵埃や油煙等の侵入を更に防止することができる。
【００３１】
また、第１風向板の一端から所定距離離れた位置に設けた突起部に当接して第２風向板が下部遮蔽位置に位置決めされるので、突起部と第２風向板との接触面が第１風向板で覆われ、更に塵埃や油煙等の侵入を防止できるとともに美観を向上することができる。また、第１、第２風向板にソリが発生しても突起部と第２風向板の隙間が第１風向板で覆われて視認されず、美観を保持することができる。
【００３２】
また、突起部を第１風向板の長手方向に所定間隔離れて複数設けたので、美観が向上されるとともに、突起部による気流の乱れを低減して送風効率の低下を防止することができる。また、突起部と第２風向板の接触面積が減少し、突起部に第２風向板が当接した際の衝撃音を低減することができる。
【００３３】
また本発明によると、第１風向板が吹出口の上部を開放した際に、第２風向板が下部遮蔽位置から両方向に回動して吹出口の下部を開放できるので、第１、第２風向板が互いに干渉せずに容易に風向制御することができる。
【００３４】
また本発明によると、第２風向板は吹出口を開放する位置から一方向に回動して下部遮蔽位置を超えた後、第１風向板が上部遮蔽位置に配置され、第２風向板が逆方向に回動して下部遮蔽位置に配置されるので、吹出口を閉塞する際に第１、第２風向板が互いに干渉することなくそれぞれ上部遮蔽位置及び下部遮蔽位置に配置される。
【００３５】
また、本発明によると、第１風向板が下部遮蔽位置の第２風向板に当接して上部遮蔽位置に位置決めされるので、容易に第１、第２風向板間の隙間をなくすことができる。
【００３６】
また本発明によると、第１風向板は吹出口を開放する位置から一方向に回動して上部遮蔽位置を超えた後、第２風向板が下部遮蔽位置に配置され、第１風向板が逆方向に回動して上部遮蔽位置に配置されるので、吹出口を閉塞する際に第１、第２風向板が互いに干渉することなくそれぞれ上部遮蔽位置及び下部遮蔽位置に配置される。
【００３７】
また本発明によると、上部遮蔽位置で第１風向板が前面パネルに沿って配置されるので、運転停止時等に空気調和機の美観をより向上することができる。
【００３８】
また本発明によると、第１、第２風向板をそれぞれ独立して駆動する複数の駆動モータを備えたので、第１、第２風向板を独立に駆動して第２風向板が第１風向板に当接して位置決めされる機構を容易に実現することができる。
【００３９】
また本発明によると、前端が後端よりも上方になるように第１風向板を配置するとともに略水平または前端が後端よりも下方になるように第２風向板を配置して冷房運転または除湿運転を行うので、前方上方に送出される冷気によって快適な冷房運転または除湿運転を行うことができる。
【００４０】
また本発明によると、吹出口の上部を流通する調和空気を下方に導く位置に第１風向板を配置するとともに下端を上端の真下または上端よりも後方になるように第２風向板を配置して暖房運転を行うので、略真下方向または後方下方に送出される暖気によって快適な暖房運転を行うことができる。
【発明を実施するための最良の形態】
【００４１】
以下に本発明の実施形態について図面を参照して説明する。説明の便宜上、以下の各実施形態において前述の図３６に示す従来例と同一の部分については同一の符号を付している。
【００４２】
＜第１実施形態＞
図１は第１実施形態の空気調和機を示す側面断面図である（後述する図７のＤ断面を示している）。空気調和機の室内機１は、キャビネット２により本体部が保持されており、キャビネット２には上面側と前面側に吸込口４が設けられたフロントパネル３が着脱自在に取り付けられている。
【００４３】
キャビネット２は後方側面に爪部（不図示）が設けられ、居室の側壁Ｗ１に取り付けられた取付板（不図示）に該爪部を係合することにより支持される。フロントパネル３の下端部とキャビネット２の下端部との間隙には、吹出口５が設けられている。吹出口５は室内機１の幅方向に延びる略矩形に形成され、前方下方に臨んで設けられている。
【００４４】
室内機１の内部には、吸込口４から吹出口５に連通する送風経路６が形成されている。送風経路６内には空気を送出する送風ファン７が配されている。送風ファン７として、例えば、クロスフローファン等を用いることができる。送風経路６は送風ファン７により送出される空気を前方下方に案内する前方案内部６ａを有している。前方案内部６ａには左右方向の吹出角度を変更可能な縦ルーバ１２が設けられている。また、送風経路６の上壁は前方案内部６ａの終端から前方へ行くほど上方に傾斜した傾斜面になっている。
【００４５】
吹出口５には回動可能に支持される風向可変部１１３ａ、１１３ｂ、１１３ｃが設けられる。風向可変部１１３ｃは前方案内部６ａの下壁を延長し、第１の駆動モータ（不図示）の駆動によって回転する回動軸１１３ｆによりキャビネット２に枢支されている。風向可変部１１３ａ（第１風向板）は吹出口５の上部に配されるとともに第２の駆動モータ（不図示）によって回転する回動軸１１３ｄにより回動可能に支持されている。
【００４６】
風向可変部１１３ｂ（第２風向板）は吹出口５の下部に配されるとともに第３の駆動モータ（不図示）によって回転する回動軸１１３ｅにより回動可能に支持されている。風向可変部１１３ａ、１１３ｂは各駆動モータの駆動によって独立に回動し、向きを替えて風向を可変する。
【００４７】
また、風向可変部１１３ｂ、１１３ｃは断面形状が湾曲しており、一面が凸状の曲面に形成されるとともに他面が凹状の曲面に形成される。風向可変部１１３ａは一面（図中、右側）が略平面になっており他面（図中、左側）が緩やかな凸状の曲面に形成され、略中央部付近を回転軸１１３ｄで軸支されている。
【００４８】
また、送風経路６内には前方側の風向可変部１１３ａ、１１３ｂ近傍の静圧を検知する静圧検知センサ（不図示）が設けられている。静圧検知センサの検知により風向可変部１１３ａ、１１３ｂ近傍の静圧が所定値になるように風向可変部１１３ａ、１１３ｂ、１１３ｃを配置できるようになっている。
【００４９】
尚、静圧検知センサを用いて風向可変部１１３ａ、１１３ｂ近傍の静圧が所定値になるように風向可変部１１３ａ、１１３ｂ、１１３ｃを可変し、風向可変部１１３ａ、１１３ｂ、１１３ｃの位置をデータベースとして記憶してもよい。これにより、運転条件に応じたデータをデータベースから取りだして風向可変部１１３ａ、１１３ｂ、１１３ｃを所定位置に配置でき、静圧検知センサを省くことができる。
【００５０】
フロントパネル３に対向する位置には、吸込口４から吸い込まれた空気に含まれる塵埃を捕集・除去するエアフィルタ８が設けられている。送風経路６中の送風ファン７とエアフィルタ８との間には、室内熱交換器９が配置されている。室内熱交換器９は屋外に配される圧縮機（不図示）に接続されており、圧縮機の駆動により冷凍サイクルが運転される。
【００５１】
冷凍サイクルの運転によって冷房時には室内熱交換器９が周囲温度よりも低温に冷却される。また、暖房時には、室内熱交換器９が周囲温度よりも高温に加熱される。尚、室内熱交換器９とエアフィルタ８との間には吸い込まれた空気の温度を検知する温度センサ６１が設けられ、室内機１の側部には空気調和機の駆動を制御する制御部（不図示）が設けられている。室内熱交換機９の前後の下部には冷房または除湿時に室内熱交換器９から落下した結露を補集するドレンパン１０が設けられている。
【００５２】
同図に示すように、空気調和機の運転停止状態では風向可変部１１３ｃが送風経路６内に配置される。風向可変部１１３ａ（第１風向板）は送風経路６の上部を遮蔽する上部遮蔽位置に配置される。風向可変部１１３ｂ（第２風向板）は送風経路６の下部を遮蔽する下部遮蔽位置に配置される。これにより、吹出口５が閉塞される。
【００５３】
また、上部遮蔽位置で風向可変部１１３ａは上端が送風経路６の上壁に近接して前面パネル３に沿って配され、下部遮蔽位置で風向可変部１１３ａの下端とキャビネット２の底面とを繋ぐように風向可変部１１３ｂが配置される。これにより、室内機１の美観を損ねないようになっている。
【００５４】
図２は上部遮蔽位置及び下部遮蔽位置にそれぞれ配された風向可変部１１３ａ、１１３ｂの要部詳細図である。風向可変部１１３ｂは後端が送風経路６内に配された状態から回動軸１１３ｅの回転によってＫ方向に回動する。風向可変部１１３ｂの端面ｎ３が上部遮蔽位置に配された風向可変部１１３ａの下方の端面ｍ３に当接すると風向可変部１１３ｂはそれ以上回動できず、下部遮蔽位置に位置決めされる。これにより、風向可変部１１３ａ、１１３ｂ間の隙間をなくすことができる。従って、吹出口５から室内機１の内部に塵埃や油煙等が侵入することを防止できるとともに室内機１の美観を向上することができる。
【００５５】
また、風向可変部１１３ｂの開放端が回動軸１１３ｅよりも前方に配された状態（図３参照）から吹出口５を閉塞する際には、風向可変部１１３ｂは開放端が後方へ回動して下部遮蔽位置を通過する。そして、風向可変部１１３ａが上部遮蔽位置に配された後、風向可変部１１３ｂは開放端が前方へ回動して風向可変部１１３ａに当接するように駆動モータが制御される。これにより、風向可変部１１３ａ、１１３ｂが互いに干渉することなくそれぞれ上部遮蔽位置及び下部遮蔽位置に配置される。
【００５６】
上記構成の空気調和機において、暖房運転を開始すると、風向可変部１１３ａ、１１３ｂ、１１３ｃは図３に示すように配置される。即ち、風向可変部１１３ａは回転軸１１３ｄの駆動により後方下方に面して平面側が配され、前方上方に面して曲面側が配置される。風向可変部１１３ｂは回転軸１１３ｅの駆動により上流側端部は送風経路６を流通する気流に略平行かつ気流を二分して配される。また、風向可変部１１３ｂの前方上方側が凸に配置され、下流側の端部は前方下方に向けられる。
【００５７】
そして、送風ファン７が回転駆動され、室外機（不図示）からの冷媒が室内熱交換器９へ流れて冷凍サイクルが運転される。これにより、室内機１内には吸込口４から空気が吸い込まれ、エアフィルタ８によって空気中に含まれる塵埃が除去される。
【００５８】
室内機１内に取り込まれた空気は室内熱交換器９と熱交換し、冷却または加熱される。  
【００５９】
室内熱交換器９で冷却または加熱された調和空気は、縦ルーバ１２及び風向可変部１１３ａ、１１３ｂ、１１３ｃによって左右方向および上下方向に向きを規制され、矢印Ａに示すように前方下方に向けて室内に送出される。これにより、室内機１は前方下方に調和空気を送出する前方下方吹出しの状態になる。
【００６０】
このとき、風向可変部１１３ａ、１１３ｂ、１１３ｃは前方案内部６ａを流通する気流に沿った流路を形成する。また、風向可変部１１３ｃは送風経路６側が凸になっているため、調和空気の流路が下流に行くほど断面積が拡大されている。このため、風向可変部１１３ｃが所謂ディフューザとして作用し、風向可変部１１３ａ、１１３ｂ、１１３ｃに面して流通する気流の運動エネルギーが静圧に変換される。従って、吹出口５から送出される調和空気の風量が増加されるようになっている。
【００６１】
空気調和機の運転開始直後は速やかに室内の空気を循環させる必要がある。このため、送風ファン７の回転速度を高くして室内熱交換器９で熱交換された空気は吹出口５から勢いよく送出される。これにより、調和空気は吹出口５から前方下方に例えば風速約６〜７ｍ／秒で矢印Ａに示すように送出され、居室内を循環する。
【００６２】
また、図４に示すように風向可変部１１３ａ、１１３ｃにより吹出口５を絞ることもできる。即ち、風向可変部１１３ａは前方上方に面して平面側が配され、後方下方に面して曲面側が配される。風向可変部１１３ｃは図３よりも上向きに配置され、風向可変部１１３ａとの間に形成される調和空気の流路面積が縮小される。風向可変部１１３ｂは風向可変部１１３ａ、１１３ｃの間を流通する気流に沿って配置される。
【００６３】
これにより、風向可変部１１３ａ、１１３ｃの間を気流が流通すると静圧が運動エネルギーに変換される。従って、送風ファン７の風量が減少して吹出し風速が増加し、気流の到達距離を延長することができる。
【００６４】
暖房運転を開始して一定時間経過後または吸込口４より取込んだ空気の温度と設定温度との差が所定温度よりも小さい時に図５に示すように風向可変部１１３ａ、１１３ｂ、１１３ｃが配置される。即ち、風向可変部１１３ａは駆動モータの駆動によって平面側を前面に向け、送風経路６の上壁に一端部が近接して送風経路６の上壁を延長する位置に配される。
【００６５】
風向可変部１１３ａの他端部は回動軸１１３ｅに当接して下方に向けて配される。風向可変部１１３ｂは送風経路６側が凹になるように先端が後方下方に向けて配される。これにより、前方案内部６ａを流通する気流の進行方向前方を閉塞する。風向可変部１１３ｃは送風経路６側が凸になるように先端が後方下方に向けられて配される。そして、前方案内部６ａを流通する気流が風向可変部１１３ａ、１１３ｂ、１１３ｃにより湾曲され、吹出口５から矢印Ｃに示すように後方下方（壁方向）に例えば風速約５〜６ｍ／秒で調和空気を送出する。
【００６６】
図６は送風経路６の図５における高静圧部９０の静圧分布を示している。風向可変部１１３ａ、１１３ｂの内面側には風向可変部１１３ａ、１１３ｂに接して前方案内部６ａの静圧よりも高圧の高静圧部９０が形成される。送風経路６の静圧を検知する静圧検知センサ（不図示）の検知結果によって風向可変部１１３ａ、１１３ｂ、１１３ｃは位置調整され、高静圧部９０の等圧線９０ａが風向可変部１１３ａ、１１３ｂに面して流通する気流に沿って形成されている。即ち、高静圧部９０の等圧線９０ａは前方案内部６ａの終端と風向可変部１１３ｂの終端とを結ぶ線に略平行に形成され、高静圧部９０近傍で気流が等圧線９０ａに略平行になっている。
【００６７】
このため、高圧部９０が流体力学的な壁面として作用し、風向可変部１１３ａ、１１３ｂ、１１３ｃによって調和空気の送出方向を滑らかに可変して気流を湾曲させる。そして、風向可変部１１３ａ、１１３ｂに接する高静圧部９０の等圧線９０ａが送風経路６を湾曲して流通する気流の主流の流線と交わらないため、該気流にかかる圧力損失を大幅に低減することができる。その結果、大きな風向の変更にもかかわらず大風量の調和空気を後方下方に送出することができる。尚、高静圧部９０では主流から分かれた低速かつ低エネルギーの気流が風向可変部１１３ａ、１１３ｂに沿って流通しているため、圧力損失に対する影響が少なくなっている。
【００６８】
また、風向可変部１１３ａ、１１３ｂ、１１３ｃに面して流通する調和空気の主流は高静圧部９０と送風経路６の下壁面とに囲まれた空間を流通する。即ち、高静圧部９０により流路の壁面が形成される。従って、気流が風向可変部１１３ａ、１１３ｂと接していないので粘性による損失が低減され、更に風量を増加することができる。
【００６９】
また、高静圧部９０は流路の壁面を成し、高静圧部９０により調和空気の流路を絞ってノズル形状を成して流路面積を前方案内部６ａよりも狭くなる。このため、ノズルの作用により高エネルギーの流体が吹出口５から送出される。その結果、高静圧部９０に隣接する気流の風速が大きく変化せず、気流の静圧変動を抑制して気流がよりスムーズに流れて圧力損失をより低減できる。従って、空気調和機から送出する調和空気の風量をより増加させることができる。
【００７０】
また、高静圧部９０により絞られて一端狭くなった流路面積が風向可変部１１３ａ、１１３ｂ、１１３ｃの下流側で再度拡大されている。これにより、流路は下流に行くに従い一旦断面積が減少して最小断面積部（以下「のど部」という）が形成される。このため、拡大された流路によって所謂ディフューザが構成され、送風ファン７の静圧上昇を補助して更に風量を増加することができる。また、図６に示すように、流路ののど部には高静圧部９０が発生せず圧力損失が生じないため、その位置で流路を湾曲することにより、圧力損失が生じない湾曲部を形成することができる。
【００７１】
尚、前方案内部６ａの上壁と風向可変部１１３ａとの接触部分が滑らかな曲面により形成されないため高静圧部９０には渦２５が発生して送風効率がやや低下する。しかしながら、従来よりも圧力損失の増加を抑制して送風効率を向上することができる。
【００７２】
更に、風向可変部１１３ｂは前方案内部６ａの下壁を吹出口５のさらに外側に延長した仮想面９８と交差するように配置されている。これにより、風向可変部１１３ａの下端部が仮想面９８よりも下方に配され、気流が略真下方向または後方下方に確実に導かれる。従って、意図しない方向に気流が送出されず、信頼性の高い空気調和機を得ることができる。
【００７３】
図７は後方下方吹出し時の居室Ｒ内の気流の挙動を示している。調和空気は側壁Ｗ１に沿って下降して矢印Ｃに示すように床面Ｆ、側壁Ｗ１に対向する側壁Ｗ２、天井壁Ｓを順次伝って吸込口４に戻る。これにより、送出された暖気の巻き上がりを防止してショートサーキットによる暖房効率の低下を防止できるとともに、居室Ｒの下部を充分暖めて快適性を向上させることができる。
【００７４】
吸込口４より取込んだ空気の温度と設定温度との温度差が小さくなったことを温度センサ６１により検知すると、送風ファン７の調整により徐々に送風量が低下される。送風量が低下しても、室内機１から下方に送出された調和空気（暖気）はコアンダ効果により巻き上がらずに側壁Ｗ１に沿って下降し続け、居住空間に直接降り注がずに床面Ｆを伝って足元に到達する。従って、使用者に直接風が当たることによる不快感もなく快適性が向上する。
【００７５】
更に、使用者に直接風が当たることによる不快感がなく、同時に静音化が確保されているため、吸込口４より取込んだ空気の温度と設定温度との温度差が小さくなっても風量を低下させる必要がない。従って、常に大風量の調和空気を居室Ｒ内に供給し続けることができる。
【００７６】
図８に示すように、風向可変部１１３ａの平面側を送風経路６に面して前面パネル３に沿った上部遮蔽位置に配置してもよい。これにより、前面パネル３に沿って風向可変部１１３ａ、１１３ｂが配され、室内機１の美観が向上する。この時、高静圧部９０は前方上方に傾斜した送風経路６の上壁と風向可変部１１３ａ、１１３ｂにより囲まれて形成されるため高静圧部９０内に発達する渦２５が大きくなる。このため、図５の場合に比して送風効率がやや若干低下するが従来よりも圧力損失の増加を抑制することができる。
【００７７】
また、図９に示すように、風向可変部１１３ｂ、１１３ｃの先端を略真下方向に向けて吹出口５から略真下方向に調和空気を送出してもよい。この場合も上記と同様に風向可変部１１３ａ、１１３ｂ、１１３ｃの向きによって高静圧部９０の等圧線９０ａを気流に沿って形成し、風量を減少させずに調和空気を略真下方向に送出することができる。また、図１０に示すように前面パネル３に沿って風向可変部１１３ａを配置すると室内機１の美観が向上する。
【００７８】
上記構成の空気調和機において、冷房運転を開始すると、風向可変部１１３ａ、１１３ｂ、１１３ｃは図１１に示すように配置される。即ち、風向可変部１１３ａは前方案内部６ａを流通する気流に沿って平面側が前方上方に面して配置される。風向可変部１１３ｂは前方案内部６ａを流通する気流に略平行かつ気流を二分して下に凸に配される。風向可変部１１３ｃは吹出口５から送出される気流から退避してキャビネット２の下方に配される。
【００７９】
そして、調和空気を矢印Ａに示すように前方下方に送出する。これにより、暖房運転時の前方下方吹出しよりも上方に調和空気を送出し、温度の低い調和空気が自重により降下して室内に拡散される。
【００８０】
尚、風向可変部１１３ａを前述の図３に示すように後方下方に面して平面側を配置すると上方に気流が流れず風向可変部１１３ａに結露が生じる。このため、風向可変部１１３ａの平面側を上面にすることにより回動軸１１３ｄよりも下方に風向可変部１１３ａが配置される。これにより、風向可変部１１３ａの両面に沿って低温の調和空気が流通し、風向可変部１１３ａの結露を防止することができる。
【００８１】
冷房運転を開始して一定時間が経過した場合や吸込口４より取込んだ空気の温度と設定温度との差が所定温度よりも小さい場合には、図１２に示すように風向可変部１１３ａ、１１３ｂ、１１３ｃが配置される。即ち、風向可変部１１３ａは前方案内部６ａを流通する気流に沿って平面側が後方上方に面して配置される。風向可変部１１３ｂは前方案内部６ａを流通する気流に略平行かつ気流を二分して下に凸に配される。風向可変部１１３ｃは吹出口５から送出される気流から退避してキャビネット２の下方に配される。
【００８２】
これにより、調和空気は送風経路６の上壁に沿って吹出口５から矢印Ｅに示すように前方上方に例えば風速約５〜６ｍ／秒で送出される。室内に送出された調和空気は図１３に示すように、居室Ｒの天井に到達する。その後、コアンダ効果により天井面Ｓから室内機１に対向する壁面Ｗ２、床面Ｆ、室内機１側の壁面Ｗ１を順次伝って室内機１の両側方から吸込口４に吸い込まれる。
【００８３】
従って、使用者に常に冷たい風や暖かい風が当たることがなく、使用者の不快感を防止して快適性を向上することができる。更に、冷房時には局所的に使用者の体温を低下させることがなく健康上の安全性を向上することができる。またこのとき、気流が居室Ｒ全体を大きく攪拌するので、居室Ｒ内の温度分布が設定温度付近で均一になる。即ち、居室Ｒの上方の一部を除いて、使用者の居住領域全体が設定温度に略一致して温度ばらつきが小さく直接風もほとんど使用者に当たることのない快適空間を得ることができる。また、風向可変部１１３ｃをキャビネット２の下方に収納することにより、冷房時の風向可変部１１３ｃへの発露を防止できる。
【００８４】
更に、図１４に示すように、風向可変部１１３ａの向きを水平にすると、矢印Ｄに示すように調和空気を吹出口５から水平方向に送出することができる。尚、前述の図１１に示す前方下方吹出し時に風向可変部１１３ｂを下に凸に配置することにより、前方上方吹出し時（図１２参照）及び水平方向吹出し時（図１４参照）においてスムーズに風向可変部１１３ｂを配置することができる。
【００８５】
尚、風向可変部１１３ａ、１１３ｂ、１１３ｃの配置の設定を使用者によるリモートコントローラ（不図示）の操作によって行えるようになっている。これにより、調和空気の風向を使用者により任意に選択することができる。
【００８６】
本実施形態の図２において、上部遮蔽位置に配された風向可変部１１３ａ（第１風向板）にＫ方向に回動する風向可変部１１３ｂ（第２風向板）が当接して吹出口５が閉塞されている。これに対して、上部遮蔽位置に配された風向可変部１１３ａ（第１風向板）にＫ方向と逆方向（図２において反時計回り）に回動する風向可変部１１３ｂ（第２風向板）が当接して吹出口５を閉塞してもよい。風向可変部１１３ａの端面ｍ３を後方に面した傾斜面にするとともに風向可変部１１３ｂの端面ｎ３を前面に面した傾斜面にすると風向可変部１１３ｂを容易に位置決めすることができる。
【００８７】
この時、風向可変部１１３ｂの開放端が回動軸１１３ｅよりも後方に配された状態（図１１参照）から吹出口５を閉塞する際には、風向可変部１１３ｂは開放端が前方へ回動して下部遮蔽位置を通過する。そして、風向可変部１１３ａが上部遮蔽位置に配された後、風向可変部１１３ｂは開放端が後方へ回動して風向可変部１１３ａに当接するように駆動モータが制御される。これにより、風向可変部１１３ａ、１１３ｂが互いに干渉することなくそれぞれ上部遮蔽位置及び下部遮蔽位置に配置される。
【００８８】
また、下部遮蔽位置に配された風向可変部１１３ｂに回動する風向可変部１１３ａが当接して吹出口５を閉塞してもよい。この時、風向可変部１１３ｂを支持する固定腕を吹出口５の長手方向の略中央に設け、固定腕に形成した突起部に当接することによって風向可変部１１３ｂを位置決めすることができる。送風経路６の内壁に当接して停止した風向可変部１１３ｃに当接することによって風向可変部１１３ｂを位置決めすることもできる。
【００８９】
＜第２実施形態＞
次に、図１５は第２実施形態の空気調和機の室内機１を示す側面断面図である。前述の図１〜図１４に示す第１実施形態と同様の部分には同一の符号を付している。本実施形態は第１実施形態の風向可変部１１３ａ、１１３ｂ、１１３ｃに替えて風向可変部１１４ａ、１１４ｂが設けられる。その他の部分は第１実施形態と同様である。
【００９０】
風向可変部１１４ａ、１１４ｂは吹出口５に配され、両面が平面の平板から成っている。回動軸１１４ｃ、１１４ｄは風向可変部１１４ａ、１１４ｂを回動可能に支持し、駆動モータ（不図示）によって回転する。これにより、風向可変部１１４ａ、１１４ｂは駆動モータの駆動によって向きを替えて風向を可変する風向板から成っている。また、回動軸１１４ｃは風向可変部１１４ａの略中央に設けられ、回動軸１１４ｄは風向可変部１１４ｂの端部に設けられる。
【００９１】
空気調和機の運転停止状態では風向可変部１１４ａ（第１風向板）は送風経路６の上部を遮蔽する上部遮蔽位置に配置される。風向可変部１１４ｂ（第２風向板）は送風経路６の下部を遮蔽する下部遮蔽位置に配置される。これにより、吹出口５が閉塞される。
【００９２】
また、風向可変部１１４ａは上部遮蔽位置で上端が送風経路６の上壁に当接して前面パネル３に沿って位置決めされる。これにより、風向可変部１１４ａと送風経路６の上壁との隙間をなくして塵埃や油煙の侵入を防止することができる。風向可変部１１４ｂは下部遮蔽位置で風向可変部１１４ａの下端とキャビネット２の底面とを繋ぐように配置される。これにより、室内機１の美観を損ねないようになっている。
【００９３】
図１６は上部遮蔽位置及び下部遮蔽位置にそれぞれ配された風向可変部１１４ａ、１１４ｂの要部詳細図である。風向可変部１１４ｂは後端が送風経路６内に配された状態から回動軸１１４ｄの回転によってＫ方向に回動する。風向可変部１１４ｂの端部に形成された傾斜面ｎ４が上部遮蔽位置に配された風向可変部１１４ａの下方の端面ｍ４に当接すると風向可変部１１４ｂはそれ以上回動できず、下部遮蔽位置に位置決めされる。これにより、風向可変部１１４ａ、１１４ｂ間の隙間をなくすことができる。従って、吹出口５から室内機１の内部に塵埃や油煙等が侵入することを防止できるとともに室内機１の美観を向上することができる。
【００９４】
また、風向可変部１１４ｂの開放端が回動軸１１４ｄよりも前方に配された状態（図１７参照）から吹出口５を閉塞する際には、風向可変部１１４ｂは開放端が後方へ回動して下部遮蔽位置を通過する。そして、風向可変部１１４ａが上部遮蔽位置に配された後、風向可変部１１４ｂは開放端が前方へ回動して風向可変部１１４ａに当接するように駆動モータが制御される。これにより、風向可変部１１４ａ、１１４ｂが互いに干渉することなくそれぞれ上部遮蔽位置及び下部遮蔽位置に配置される。
【００９５】
上記構成の空気調和機において、暖房運転を開始すると風向可変部１１４ａ、１１４ｂは図１７に示すように配置される。即ち、風向可変部１１４ａ、１１４ｂは前方案内部６ａを流通する気流に沿って配置される。この時、風向可変部１１４ｂは回動軸１１４ｄ側の端部が後方になるように配置されている。そして、調和空気を矢印Ａに示すように前方下方に送出する。これにより、室内機１は前方下方に調和空気を送出する前方下方吹出しの状態になる。
【００９６】
暖房運転を開始して一定時間が経過した場合や吸込口４より取込んだ空気の温度と設定温度との差が所定温度よりも小さい場合には、図１８に示すように風向可変部１１４ａ、１１４ｂが配置される。即ち、風向可変部１１４ａは駆動モータの駆動によって一端が送風経路６の上壁に近接して上壁を下方へ延長するように配される。風向可変部１１４ａの他端部は回動軸１１４ｄに近接して下方に向けて配される。風向可変部１１４ｂは先端が後方下方に向けて配される。
【００９７】
これにより、前方案内部６ａを流通する気流の進行方向前方が風向可変部１１４ａ、１１４ｂにより閉塞され、風向可変部１１４ａ、１１４ｂに接した高静圧部９０が形成される。高静圧部９０の等圧線９０ａ（図６参照）は第１実施形態と同様に風向可変部１１４ａ、１１４ｂに面した調和空気の流通方向に沿って形成される。このため、高静圧部９０が流体力学的な壁面となり、調和空気が送出方向を滑らかに可変して吹出口５から後方下方に送出される。
【００９８】
また、高静圧部９０によって流路が絞られ、下流側で再度流路が拡大されている。更に、風向可変部１１４ｂは前方案内部６ａの下壁を吹出口５から外側に延長した仮想面９８と交差するように配置される。従って、第１実施形態と同様の効果を得ることができる。
【００９９】
また、図１９に示すように、風向可変部１１４ａを前面パネル３に沿って配置すると室内機１の美観が向上する。この時、前方案内部６ａの上壁と風向可変部１１４ａとの接触部分が滑らかな曲面により形成されないため高静圧部９０には渦２５が発生して送風効率がやや低下する。しかしながら、従来よりも圧力損失の増加を抑制して送風効率を向上することができる。
【０１００】
また、図２０に示すように風向可変部１１４ｂの先端を略真下方向に向けて吹出口５から略真下方向に調和空気を送出してもよい。この時、図２１に示すように、前面パネル３に沿って風向可変部１１４ａを配置すると室内機１の美観が向上する。
【０１０１】
また、図２２に示すように、風向可変部１１４ｂを軸側の端部が前方になるように配置して前方吹出しを行ってもよい。しかしながら、前述の図１７において前方下方吹出し時に風向可変部１１４ｂの軸側の端部を後方に配置することによって、後方下方吹出し時（図１８、図１９参照）や略真下方向に送出する際（図２０、図２１参照）に風向可変部１１４ｂをスムーズに移動させることができるのでより望ましい。
【０１０２】
また、上記構成の空気調和機において冷房運転を開始すると、風向可変部１１４ａ、１１４ｂは図２３に示すように配置される。即ち、風向可変部１１４ａ、１１４ｂは前方案内部６ａを流通する気流に沿って前方下方に傾斜して配置される。この時、風向可変部１１４ａは前述の図１７、図２２に示す暖房運転の前方下方吹出し時よりも前端が上方に配される。これにより、風向可変部１１４ａの両面を気流が通過して低温の調和空気による風向可変部１１４ａ表面の結露を防止することができる。
【０１０３】
また、風向可変部１１４ｂは回動軸１１４ｄ側の端部が前方になるように配置されている。そして、調和空気を矢印Ａに示すように前方下方に送出する。これにより、室内機１は前方下方に調和空気を送出する前方下方吹出しの状態になる。
【０１０４】
冷房運転を開始して一定時間が経過した場合や吸込口４より取込んだ空気の温度と設定温度との差が所定温度よりも小さい場合には、図２４に示すように風向可変部１１４ａ、１１４ｂが配置される。即ち、風向可変部１１４ａは前端が後端よりも上方に配され、吹出口５近傍で上方に傾斜した送風経路６の上壁に略平行になっている。風向可変部１１４ｂは軸側の端部が開放側の端部よりも前方下方になるように配される。
【０１０５】
これにより、調和空気は送風経路６の上壁に沿って吹出口５から矢印Ｅに示すように前方上方に例えば風速約５〜６ｍ／秒で送出される。室内に送出された調和空気は前述の図７と同様に居室Ｒの天井に到達する。その後、コアンダ効果により天井面Ｓから室内機１に対向する壁面Ｗ２、床面Ｆ、室内機１側の壁面Ｗ１を順次伝って室内機１の両側方から吸込口４に吸い込まれる。従って、第４実施形態と同様に、快適性や安全性を向上することができる。
【０１０６】
更に、図２５に示すように、風向可変部１１４ａの向きを水平にすると、矢印Ｄに示すように調和空気を吹出口５から水平方向に送出することができる。尚、前述の図２３に示す前方下方吹出し時に風向可変部１１４ｂの軸側を前方に配置することにより、前方上方吹出し時（図２４参照）及び水平方向吹出し時（図２５参照）にスムーズに風向可変部１１４ｂを配置することができる。
【０１０７】
また、使用者によるリモートコントローラの操作によって、縦ルーバ１２及び風向可変部１１４ａ、１１４ｂの位置を可変できるようになっている。
【０１０８】
本実施形態において、第１実施形態と同様に、上部遮蔽位置に配された風向可変部１１４ａ（第１風向板）にＫ方向と逆方向（図１６において反時計回り）に回動する風向可変部１１４ｂ（第２風向板）が当接して吹出口５を閉塞してもよい。また、下部遮蔽位置に配された風向可変部１１４ｂに回動する風向可変部１１４ａが当接して吹出口５を閉塞してもよい。
【０１０９】
＜第３実施形態＞
次に、図２６は第３実施形態の空気調和機の室内機１を示す側面断面図である。前述の図１５〜図２５に示す第２実施形態と同様の部分には同一の符号を付している。本実施形態は第２実施形態の風向可変部１１４ａ、１１４ｂに替えて、風向可変部１１５ａ、１１５ｂが設けられる。その他の部分は第２実施形態と同様である。
【０１１０】
風向可変部１１５ａ、１１５ｂは吹出口５に配され、両面が平面の平板から成っている。回動軸１１５ｃ、１１５ｄは風向可変部１１５ａ、１１５ｂを回動可能に支持し、駆動モータ（不図示）によって回転する。これにより、風向可変部１１５ａ、１１５ｂは駆動モータの駆動によって向きを替えて風向を可変する風向板から成っている。また、回動軸１１５ｃは風向可変部１１５ａの略中央に設けられ、回動軸１１５ｄは風向可変部１１５ｂの略中央の風向可変部１１５ｂから所定量離れた位置に設けられる。
【０１１１】
空気調和機の運転停止状態では風向可変部１１５ａ（第１風向板）は送風経路６の上部を遮蔽する上部遮蔽位置に配置される。風向可変部１１５ｂ（第２風向板）は送風経路６の下部を遮蔽する下部遮蔽位置に配置される。これにより、吹出口５が閉塞される。
【０１１２】
また、風向可変部１１５ａは上部遮蔽位置で上端が送風経路６の上壁に当接して前面パネル３に沿って位置決めされる。これにより、風向可変部１１５ａと送風経路６の上壁との隙間をなくして塵埃や油煙の侵入を防止することができる。風向可変部１１５ｂは下部遮蔽位置で風向可変部１１５ａの下端とキャビネット２の底面とを繋ぐように配置される。これにより、室内機１の美観を損ねないようになっている。
【０１１３】
図２７は上部遮蔽位置及び下部遮蔽位置にそれぞれ配された風向可変部１１５ａ、１１５ｂの要部詳細図である。風向可変部１１５ｂは後端が送風経路６内に配された状態から回動軸１１５ｄの回転によってＫ方向に回動する。風向可変部１１５ｂの端部に形成された傾斜面ｎ５が上部遮蔽位置に配された風向可変部１１５ａの突起部１１５ｅに当接すると風向可変部１１５ｂはそれ以上回動できず、下部遮蔽位置に位置決めされる。
【０１１４】
突起部１１５ｅは風向可変部１１５ａの長手方向に伸びて下端から所定距離離れて形成される。これにより、突起部１１５ｅに当接する風向可変部１１５ｂの端部が風向可変部１１５ａにより覆われている。従って、突起部１１５ｅと風向可変部１１５ｂとの隙間をなくして吹出口５から室内機１の内部に塵埃や油煙等が侵入することを防止できるとともに、第１、第２実施形態よりも更に室内機１の美観を向上することができる。また、成形加工等によって風向可変部１１５ａ、１１５ｂのソリが発生しても突起部１１５ｅと風向可変部１１５ｂの隙間が風向可変部１１５ａで覆われて視認されず、美観を保持することができる。
【０１１５】
また、風向可変部１１５ｂの開放端が回動軸１１５ｄよりも前方に配された状態（図２９参照）から吹出口５を閉塞する際には、風向可変部１１５ｂは開放端が後方へ回動して下部遮蔽位置を通過する。そして、風向可変部１１５ａが上部遮蔽位置に配された後、風向可変部１１５ｂは開放端が前方へ回動して突起部１１５ｅに当接するように駆動モータが制御される。これにより、風向可変部１１５ａ、１１５ｂが互いに干渉することなくそれぞれ上部遮蔽位置及び下部遮蔽位置に配置される。
【０１１６】
尚、突起部１１５ｅによって風向可変部１１５ａに沿って流通する気流が乱され、送風効率の低下が発生する。また、突起部１１５ｅの高さが高いと風切り音や結露が生じる。このため、突起部１１５ｅは高さを低くして断面形状を流線型や楕円等に形成するとより望ましい。
【０１１７】
また、突起部１１５ｅは図２８に示すように、風向可変部１１５ａの長手方向に所定間隔で複数設けてもよい。このようにすると、上記と同様に室内機１の美観を向上することができるとともに、気流が乱されずの送風効率の低下を防止することができる。また、突起部１１５ｅと風向可変部１１５ｂとの接触面積が少なくなるため、これらが当接した際の衝撃音が低下して衝撃音による不快感を防止することができる。この時、風向可変部１１５ａ、１１５ｂ間の隙間ｄ（図２７参照）を介して送風経路６内に塵埃が侵入する可能性があるため隙間ｄを狭くする必要がある。
【０１１８】
上記構成の空気調和機において、暖房運転を開始すると風向可変部１１５ａ、１１５ｂは図２９に示すように配置される。即ち、風向可変部１１５ａ、１１５ｂは前方案内部６ａを流通する気流に沿って配置される。この時、風向可変部１１５ｂの回動軸１１５ｄは風向可変部１１５ｂの上方に配されている。そして、調和空気を矢印Ａに示すように前方下方に送出する。これにより、室内機１は前方下方に調和空気を送出する前方下方吹出しの状態になる。
【０１１９】
また、図３０に示すように、風向可変部１１５ｂの回動軸１１５ｄを風向可変部１１５ｂの下方に配して前方下方吹出しを行ってもよい。図２９に示すように回動軸１１５ｄを風向可変部１１５ｂの上方に配した場合は、遠方にまで調和空気を到達させることができる。このため、居室が比較的大きい場合に適している。
【０１２０】
また、図３０に示すように回動軸１１５ｄを風向可変部１１５ｂの下方に配した場合は、回動軸１１５ｄを風向可変部１１５ｂの上方に配した場合よりも暖房時に近傍の空間においてきめ細やかな気流制御を行うことができる。このため、居室が比較的小さい場合に適している。従って、居室の大きさに基づいて適時選択することができる。
【０１２１】
暖房運転を開始して一定時間が経過した場合や吸込口４より取込んだ空気の温度と設定温度との差が所定温度よりも小さい場合には、図３１に示すように風向可変部１１５ａ、１１５ｂが配置される。即ち、風向可変部１１５ａは駆動モータの駆動によって一端が送風経路６の上壁に接して前方案内部６ａの上壁を延長するように配される。風向可変部１１５ｂは一端が風向可変部１１５ａに近接し、他端が略真下方向に向けて配される。尚、風向可変部１１５ａ、１１５ｂ間の隙間は極めて小さく、調和空気がこの隙間から漏れる量は極めて微量である。
【０１２２】
これにより、前方案内部６ａを流通する気流の進行方向前方が風向可変部１１５ａ、１１５ｂにより閉塞され、風向可変部１１５ａ、１１５ｂに接した高静圧部９０が形成される。高静圧部９０の等圧線９０ａ（図６参照）は第１、第２実施形態と同様に風向可変部１１５ａ、１１５ｂに面した調和空気の流通方向に沿って形成される。このため、高静圧部９０が流体力学的な壁面となり、調和空気が送出方向を滑らかに可変して吹出口５から後方下方に送出される。
【０１２３】
また、高静圧部９０によって流路が絞られ、下流側で再度流路が拡大されている。更に、風向可変部１１５ｂは前方案内部６ａの下壁を吹出口５から外側に延長した仮想面９８と交差するように配置される。従って、第１、第２実施形態と同様の効果を得ることができる。
【０１２４】
また、風向可変部１１５ｂは回動軸１１５ｄが端部に設けられず、略中央の所定量離れて設けられるため、第２実施形態に比して少ないトルクで回動させることができる。従って、駆動モータの省電力化や駆動モータ出力のスペックダウンによる低コスト化を図ることができる。
【０１２５】
尚、図３２に示すように風向可変部１１５ｂの先端を真下方向からやや前方に向けて吹出口５から矢印Ｂに示すように略真下方向に調和空気を送出してもよい。前述の図３０において前方下方吹出し時に風向可変部１１５ｂの回動軸１１５ｄを下方に配置することによって、後方下方吹出し時（図３１参照）や略真下方向に送出する際（図３２参照）に風向可変部１１５ｂをスムーズに移動させることができる。
【０１２６】
また、上記構成の空気調和機において冷房運転を開始すると、風向可変部１１５ａ、１１５ｂは前述の図２９に示すように配置される。この時、風向可変部１１５ａは暖房時に比べて外側端部がやや上になるように設定される。これにより、風向可変部１１５ａの両面に調和空気を流通させて風向可変部１１５ａの発露を防止することができる。そして、調和空気を矢印Ａに示すように前方下方に送出する。これにより、室内機１は前方下方に調和空気を送出する前方下方吹出しの状態になる。
【０１２７】
冷房運転を開始して一定時間が経過した場合や吸込口４より取込んだ空気の温度と設定温度との差が所定温度よりも小さい場合には、図３３に示すように風向可変部１１５ａ、１１５ｂが配置される。即ち、風向可変部１１５ａは前端が後端よりも上方に配され、吹出口５近傍で上方に傾斜した送風経路６の上壁に略平行になっている。風向可変部１１５ｂは外側の端部が内側の端部よりも前方下方になるように配される。
【０１２８】
これにより、調和空気は送風経路６の上壁に沿って吹出口５から矢印Ｅに示すように前方上方に例えば風速約５〜６ｍ／秒で送出される。室内に送出された調和空気は前述の図１３と同様に居室Ｒの天井に到達する。その後、コアンダ効果により天井面Ｓから室内機１に対向する壁面Ｗ２、床面Ｆ、室内機１側の壁面Ｗ１を順次伝って室内機１の両側方から吸込口４に吸い込まれる。従って、第１、第２実施形態と同様に、快適性や安全性を向上することができる。
【０１２９】
更に、図３４に示すように、風向可変部１１５ａの向きを水平にすると、矢印Ｄに示すように調和空気を吹出口５から水平方向に送出することができる。尚、前述の図２９に示す前方下方吹出し時に風向可変部１１５ｂの回動軸１１５ｄを風向可変部１１５ｂの上方に配置することにより、前方上方吹出し時（図３３参照）及び水平方向吹出し時（図３４参照）にスムーズに風向可変部１１５ｂを配置することができる。
【０１３０】
尚、使用者によるリモートコントローラの操作によって、縦ルーバ１２及び風向可変部１１５ａ、１１５ｂの位置を可変できるようになっている。
【０１３１】
本実施形態において、第１、第２実施形態と同様に、上部遮蔽位置に配された風向可変部１１５ａ（第１風向板）にＫ方向と逆方向（図２７において反時計回り）に回動する風向可変部１１５ｂ（第２風向板）が当接して吹出口５を閉塞してもよい。また、下部遮蔽位置に配された風向可変部１１５ｂに回動する風向可変部１１５ａが当接して吹出口５を閉塞してもよい。この場合、突起部１１５ｅは風向可変部１１５ｂ（第２風向板）に前端から所定距離離れて形成される。
【０１３２】
第１〜第３実施形態において、空気調和機を所謂コーナーエアコンのように構成してもよい。即ち、図３５に示すように、室内機１ｂを居室Ｒの隣接する二側壁Ｗ３、Ｗ４が交差したコーナーＬの天井壁Ｓに接する位置に取り付けてもよい。この場合においても、暖房運転時に吹出口からコーナーＬに向けて後方下方に調和空気を吹き出すことにより、調和空気はコーナーＬ及び側壁Ｗ３、Ｗ４に沿って下降し、矢印Ｃに示すように床面Ｆ、側壁Ｗ３、Ｗ４に対向する側壁Ｗ５、Ｗ６、天井壁Ｓを順次伝って吸込口４に戻る。これにより暖気が居室Ｒ内を循環して暖房運転が行われる。従って、上記と同様の効果を得ることができる。
【０１３３】
以上本発明に係る空気調和機を説明したが、本発明は上記各実施形態に限定されず、本発明の趣旨を逸脱しない範囲で適宜の変更を加えて実施することができる。
【図面の簡単な説明】
【０１３４】
【図１】は、本発明の第１実施形態の空気調和機の室内機の停止時の状態を示す側面断面図である。
【図２】は、本発明の第１実施形態の空気調和機の室内機の停止時の風向可変部を示す要部詳細図である。
【図３】は、本発明の第１実施形態の空気調和機の室内機の暖房運転時の前方下方吹出しの状態を示す側面断面図である。
【図４】は、本発明の第１実施形態の空気調和機の室内機の暖房運転時の他の前方下方吹出しの状態を示す側面断面図である。
【図５】は、本発明の第１実施形態の空気調和機の室内機の暖房運転時の後方下方吹出しの状態を示す側面断面図である。
【図６】は、本発明の第１実施形態の空気調和機の室内機の後方下方吹出しの状態のときの吹出口近傍の静圧分布を示す図である。
【図７】は、本発明の第１実施形態の空気調和機の室内機の後方下方吹出しの状態のときの居室内の気流の挙動を示す透視斜視図である。
【図８】は、本発明の第１実施形態の空気調和機の室内機の暖房運転時の他の後方下方吹出しの状態を示す側面断面図である。
【図９】は、本発明の第１実施形態の空気調和機の室内機の暖房運転時の真下方向吹出しの状態を示す側面断面図である。
【図１０】は、本発明の第１実施形態の空気調和機の室内機の暖房運転時の他の真下方向吹出しの状態を示す側面断面図である。
【図１１】は、本発明の第１実施形態の空気調和機の室内機の冷房運転時の前方下方吹出しの状態を示す側面断面図である。
【図１２】は、本発明の第１実施形態の空気調和機の室内機の冷房運転時の前方上方吹出しの状態を示す側面断面図である。
【図１３】は、本発明の第１実施形態の空気調和機の室内機の前方上方吹出しの状態のときの居室内の気流の挙動を示す透視斜視図である。
【図１４】は、本発明の第１実施形態の空気調和機の室内機の冷房運転時の水平方向吹出しの状態を示す側面断面図である。
【図１５】は、本発明の第２実施形態の空気調和機の室内機の停止時の状態を示す側面断面図である。
【図１６】は、本発明の第２実施形態の空気調和機の室内機の停止時の風向可変部を示す要部詳細図である。
【図１７】は、本発明の第２実施形態の空気調和機の室内機の暖房運転時の前方下方吹出しの状態を示す側面断面図である。
【図１８】は、本発明の第２実施形態の空気調和機の室内機の暖房運転時の後方下方吹出しの状態を示す側面断面図である。
【図１９】は、本発明の第２実施形態の空気調和機の室内機の暖房運転時の他の後方下方吹出しの状態を示す側面断面図である。
【図２０】は、本発明の第２実施形態の空気調和機の室内機の暖房運転時の真下方向吹出しの状態を示す側面断面図である。
【図２１】は、本発明の第２実施形態の空気調和機の室内機の暖房運転時の他の真下方向吹出しの状態を示す側面断面図である。
【図２２】は、本発明の第２実施形態の空気調和機の室内機の暖房運転時の他の前方下方吹出しの状態を示す側面断面図である。
【図２３】は、本発明の第２実施形態の空気調和機の室内機の冷房運転時の前方下方吹出しの状態を示す側面断面図である。
【図２４】は、本発明の第２実施形態の空気調和機の室内機の冷房運転時の前方上方吹出しの状態を示す側面断面図である。
【図２５】は、本発明の第２実施形態の空気調和機の室内機の冷房運転時の水平方向吹出しの状態を示す側面断面図である。
【図２６】は、本発明の第３実施形態の空気調和機の室内機の停止時の状態を示す側面断面図である。
【図２７】は、本発明の第３実施形態の空気調和機の室内機の停止時の風向可変部を示す要部詳細図である。
【図２８】は、本発明の第３実施形態の空気調和機の室内機の風向可変部の他の態様を示す斜視図である。
【図２９】は、本発明の第３実施形態の空気調和機の室内機の暖房運転時の前方下方吹出しの状態を示す側面断面図である。
【図３０】は、本発明の第３実施形態の空気調和機の室内機の暖房運転時の他の前方下方吹出しの状態を示す側面断面図である。
【図３１】は、本発明の第３実施形態の空気調和機の室内機の暖房運転時の後方下方吹出しの状態を示す側面断面図である。
【図３２】は、本発明の第３実施形態の空気調和機の室内機の暖房運転時の真下方向吹出しの状態を示す側面断面図である。
【図３３】は、本発明の第３実施形態の空気調和機の室内機の冷房運転時の前方上方吹出しの状態を示す側面断面図である。
【図３４】は、本発明の第３実施形態の空気調和機の室内機の冷房運転時の水平方向吹出しの状態を示す側面断面図である。
【図３５】は、本発明の第１〜第３実施形態の空気調和機に係る他の態様の室内機の後方下方吹出し状態のときの居室内の気流の挙動を示す透視斜視図である。
【図３６】は、従来の空気調和機の室内機を示す側面断面図である。
【符号の説明】
【０１３５】
１    室内機
２    キャビネット
３    フロントパネル
４    吸込口
５    吹出口
６    送風経路
７    送風ファン
８    エアフィルタ
９    室内熱交換器
１０    ドレンパン
１２    縦ルーバ
２５    渦
６１    温度センサ
９０    高静圧部
９８    仮想面
１１３ａ、１１３ｂ、１１３ｃ、１１４ａ、１１４ｂ、１１５ａ、１１５ｂ  風向可変部
１１５ｅ  突起部
【図１】
2005164067.tif 000003
【図２】
2005164067.tif 000004
【図３】
2005164067.tif 000005
【図４】
2005164067.tif 000006
【図５】
2005164067.tif 000007
【図６】
2005164067.tif 000008
【図７】
2005164067.tif 000009
【図８】
2005164067.tif 000010
【図９】
2005164067.tif 000011
【図１０】
2005164067.tif 000012
【図１１】
2005164067.tif 000013
【図１２】
2005164067.tif 000014
【図１３】
2005164067.tif 000015
【図１４】
2005164067.tif 000016
【図１５】
2005164067.tif 000017
【図１６】
2005164067.tif 000018
【図１７】
2005164067.tif 000019
【図１８】
2005164067.tif 000020
【図１９】
2005164067.tif 000021
【図２０】
2005164067.tif 000022
【図２１】
2005164067.tif 000023
【図２２】
2005164067.tif 000024
【図２３】
2005164067.tif 000025
【図２４】
2005164067.tif 000026
【図２５】
2005164067.tif 000027
【図２６】
2005164067.tif 000028
【図２７】
2005164067.tif 000029
【図２８】
2005164067.tif 000030
【図２９】
2005164067.tif 000031
【図３０】
2005164067.tif 000032
【図３１】
2005164067.tif 000033
【図３２】
2005164067.tif 000034
【図３３】
2005164067.tif 000035
【図３４】
2005164067.tif 000036
【図３５】
2005164067.tif 000037
【図３６】
2005164067.tif 000038